(57)【要約】【課題】天井取付け式でありながら、床面を照らすことができると共に、天井面を含む壁面も照らすことができ、しかも、それを簡素な構造で納まり良く実現することができる壁側用の天井取付け式ＬＥＤ照明構造を提供する。【解決手段】壁２側において、天井面１よりも下位に位置する下面部５から床面側を照らす床面側照明用ＬＥＤ光源７が備えられると共に、下面部５と天井面１との間において壁面２と向き合う側面部６に、天井面１を含んで壁面２を照らす壁面側照明用のＬＥＤ光源８が備えられている。壁面側照明用のＬＥＤ光源８は可動に備えられているとよい。【選択図】      図１
2010177139.tif 000002
【特許請求の範囲】
【請求項１】
壁側において、天井面よりも下位に位置する下面部から床面側を照らす床面側照明用ＬＥＤ光源が備えられると共に、
前記壁面と向き合う側面部に、天井面を含んで壁面を照らす壁面側照明用のＬＥＤ光源が備えられていることを特徴とする壁側用の天井取付け式ＬＥＤ照明構造。
【請求項２】
前記壁面側照明用のＬＥＤ光源が可動に備えられ、該ＬＥＤ光源を動かすことにより、該光源が照らす、天井面を含む壁面の領域範囲を上下方向に変位させることができるようになされている請求項１に記載の壁側用の天井取付け式ＬＥＤ照明構造。
【請求項３】
前記壁面側照明用のＬＥＤ光源が可動に備えられ、該ＬＥＤ光源を動かすことにより、該光源が照らす領域範囲を、天井面を含む壁面の領域範囲と、天井面を含まない壁面及び／又は床面の領域範囲との間で、変位させることができるようになされている請求項１に記載の壁側用の天井取付け式ＬＥＤ照明構造。
【発明の詳細な説明】
【技術分野】
【０００１】
本発明は、壁側用の天井取付け式ＬＥＤ照明構造に関する。
【背景技術】
【０００２】
白色ＬＥＤの実用化に伴い、ＬＥＤを、屋内外の照明に用いるための試みが種々行われている。
【先行技術文献】
【特許文献】
【０００３】
【特許文献１】特開２００７−１６５０５１号公報
【発明の概要】
【発明が解決しようとする課題】
【０００４】
しかしながら、ＬＥＤの光源から発せられる光には、指向性があることから、蛍光灯による照明では問題とならないことが、ＬＥＤを用いた照明では問題となることがある。
【０００５】
そのような問題の一つとして、コンビニエンスストア等の店舗や事務所等の屋内において、壁側の天井面に設置した蛍光灯は、床面や壁面のみならず天井面をも明るく照らすが、図４（イ）（ロ）（ハ）に示すように、壁５１側の天井面５２に、床面を照らすように設置した照明用のＬＥＤ光源５３は、壁面５１との間隔寸法の大きさにかかわらず、床面や、床面を含む壁面５１の中低所を照らすことはあっても、壁面５１の高所や天井面５２を照らすことはなく、そのため、壁面５１や天井面５２に暗い部分を生じてしまうという問題がある。
【０００６】
本発明は、上記のような問題点に鑑み、天井取付け式でありながら、床面を照らすことができると共に、天井面を含む壁面も照らすことができ、しかも、それを簡素な構造で納まり良く実現することができる壁側用の天井取付け式ＬＥＤ照明構造を提供することを課題とする。
【課題を解決するための手段】
【０００７】
上記の課題は、壁側において、天井面よりも下位に位置する下面部から床面側を照らす床面側照明用ＬＥＤ光源が備えられると共に、
前記壁面と向き合う側面部に、天井面を含んで壁面を照らす壁面側照明用のＬＥＤ光源が備えられていることを特徴とする壁側用の天井取付け式ＬＥＤ照明構造によって解決される（第１発明）。
【０００８】
この構造では、床面側照明用ＬＥＤ光源によって、床面を照らすことができ、壁面側照明用のＬＥＤ光源によって、天井面を含む壁面も明るく照らすことができる。
【０００９】
しかも、床面側照明用ＬＥＤ光源は、天井面よりも下位に位置する下面部から床面側を照らすように備えられ、それにより確保される、該下面部と天井面との間において壁面と向き合う側面部を利用し、該側面部に壁面側照明用のＬＥＤ光源を備えさせた構造としていることにより、床面側照明用ＬＥＤ光源群と壁面側照明用のＬＥＤ光源とを簡素な構造で納まり良く組み込むことができる。
【００１０】
第１発明において、前記壁面側照明用のＬＥＤ光源が可動に備えられ、該ＬＥＤ光源を動かすことにより、該光源が照らす、天井面を含む壁面の領域範囲を上下方向に変位させることができるようになされているとよい（第２発明）。
【００１１】
この場合は、壁面側照明用のＬＥＤ光源と壁面との間の間隔寸法が、屋内構造や照明設計等との関係で種々異なったものになってしまっても、該間隔寸法の大きさに応じて、該光源が照らす、天井面を含む壁面の領域範囲を、上記の可動により、最適状態に調節することができて、壁側における設置位置の自由度を高くすることができる。
【００１２】
第１発明において、前記壁面側照明用のＬＥＤ光源が可動に備えられ、該ＬＥＤ光源を動かすことにより、該光源が照らす領域範囲を、天井面を含む壁面の領域範囲と、天井面を含まない壁面及び／又は床面の領域範囲との間で、変位させることができるようになされているのもよい。（第３発明）。
【００１３】
この場合は、壁面側照明用のＬＥＤ光源を動かすことにより、天井面を含む壁面の領域範囲を照らしたり、天井面を含まない壁面及び／又は床面の領域範囲を照らしたりと、種々の照らし方をすることができて、用途を広げて汎用性を高めることができる。
【発明の効果】
【００１４】
本発明の壁側用の天井取付け式ＬＥＤ照明構造は、以上のとおりのものであるから、床面を照らすことができると共に、天井面を含む壁面も照らすことができ、しかも、それを簡素な構造で納まり良く実現することができる。
【図面の簡単な説明】
【００１５】
【図１】第１実施形態の照明構造を示すもので、図（イ）は断面正面図、図（ロ）は図（イ）のＩ−Ｉ線断面矢視図、図（ハ）は下面図である。
【図２】第２実施形態の照明構造を示すもので、図（イ）〜図（ハ）は使用の態様を示す断面正面図である。
【図３】第３実施形態の照明構造を示すもので、図（イ）〜図（ハ）は使用の態様を示す断面正面図である。
【図４】図（イ）〜図（ハ）は関連技術の構造を示す断面正面図である。
【発明を実施するための形態】
【００１６】
次に、本発明の実施形態を図面に基づいて説明する。
【００１７】
図１に示す第１実施形態の壁側用の天井取付け式ＬＥＤ照明構造において、１は天井面、２は壁面、３は壁側用ＬＥＤ照明器具であり、該照明器具３は、方形立体状をしており、上面ベース部４が天井面１に沿わされて下面部５が天井面１よりも下位に位置すると共に、長手方向を壁面２と平行に向けて幅方向における一方の側面部６を壁面２と向き合わせた状態にして、前記上面ベース部４が天井面１に取り付けられて設置されている。
【００１８】
そして、照明器具３には、壁面２と平行な水平方向にライン状に列設されて、下面部５から床面側を照らす床面側照明用ＬＥＤ光源７…の群が備えられていると共に、該照明器具３において壁面２と向き合う前記側面部６には、壁面２と平行な水平方向にライン状に列設されて、天井面１を含んで壁面２を照らす壁面側照明用ＬＥＤ光源８…の群が備えられている。なお、各ＬＥＤ光源７…，８…は表面実装型などからなるＬＥＤパッケージ９によって構成され、該ＬＥＤパッケージ９は灯具１０に保持され、灯具１０は、ベース部４や、ベース部４に連接されたブラケット等に取り付けられている。
【００１９】
上記の照明構造では、床面側照明用ＬＥＤ光源７…の群によって、床面を照らすことができ、壁面側照明用のＬＥＤ光源８…の群によって、天井面１を含む壁面２も明るく照らすことができる。
【００２０】
しかも、床面側照明用ＬＥＤ光源７の群は、天井面１よりも下位に位置する下面部５から床面側を照らすように備えられ、それにより確保される、該下面部５と天井面１との間において壁面２と向き合う側面部６を利用し、該側面部６に壁面側照明用のＬＥＤ光源８…の群を備えさせた構造としていることにより、床面側照明用ＬＥＤ光源７…の群と壁面側照明用のＬＥＤ光源８…の群とを簡素な構造で納まり良く組み込むことができる。
【００２１】
図２に示す第２実施形態の壁側用の天井取付け式ＬＥＤ照明構造は、壁面側照明用のＬＥＤ光源８…の群が上下方向に回動させることかできるように可動に備えられ、該ＬＥＤ光源８の群を回動させることにより、該光源８が照らす、天井面１を含む壁面２の領域範囲を上下方向に変位させることができるようになされているものである。
【００２２】
このような構造によれば、図２（イ）（ロ）（ハ）に示すように、壁面側照明用のＬＥＤ光源８…の群と壁面２との間の間隔寸法が、屋内構造や照明設計等との関係で種々異なったものになってしまうことがあっても、該間隔寸法の大きさに応じて、該光源８が照らす、天井面１を含む壁面２の領域範囲を、上記の回動操作によって最適状態に調節することができ、壁面２側における照明器具３の設置位置の自由度を高くすることができる。
【００２３】
図３に示す第３実施形態の壁側用の天井取付け式ＬＥＤ照明構造は、壁面側照明用のＬＥＤ光源８…の群が、壁面２に沿う水平方向の軸線回りで回動するように可動に備えられ、該ＬＥＤ光源８…を回動させることにより、該光源８が照らす領域範囲を、図３（イ）（ロ）（ハ）に示すように、天井面１を含む壁面２の領域範囲と、天井面１を含まない壁面２及び／又は床面の領域範囲との間で、変位させることができるようになされている。
【００２４】
このような構造によれば、壁面側照明用のＬＥＤ光源８を回動させることにより、天井面１を含む壁面２の領域範囲を照らしたり、天井面１を含まない壁面２及び／又は床面の領域範囲を照らしたりと、種々の照らし方をすることができて、用途を広げて汎用性を高めることができる。
【００２５】
なお、いずれの実施形態構造においても、照らす部分の明るさを調節することができるように、ＬＥＤ光源７…，８…は、調光できるようになされているのが良い。
【符号の説明】
【００２６】
１…天井面
２…壁面
３…ＬＥＤ照明器具
５…下面部
６…側面部
７…床面側照明用のＬＥＤ光源
８…壁面側照明用のＬＥＤ光源
【図１】
2010177139.tif 000003
【図２】
2010177139.tif 000004
【図３】
2010177139.tif 000005
【図４】
2010177139.tif 000006